【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
防水ハウジングと；
前記ハウジング内部に搭載されるメモリを有するデジタルコンピュータと；
前記デジタルコンピュータと外部パーソナルコンピュータとの間の通信インターフェースと；
ユーザがアクセス可能な少なくとも一つの制御インターフェースと；
前記デジタルコンピュータに接続され、ユーザに可視のスクリーンとを備え；
前記デジタルコンピュータおよび／または前記外部パーソナルコンピュータの内の少なくとも一つは、前記スクリーン上のディスプレイの少なくとも一つの情報項目の選択および大きさを再プログラミング可能にカスタマイズするように構成される；
ダイビングコンピュータ。
【請求項２】
前記情報が、少なくとも二つのグループに分類され；
前記グループの内の少なくとも一つからの情報の全てが、前記ディスプレイのカスタマイズにおいて利用されなければならない；
請求項１のダイビングコンピュータ。
【請求項３】
前記情報が、必要情報（「必須」および「一次警報」）および補足情報（「二次警報」および「あれば良い」）に分類され；
前記必要情報の全てが前記ディスプレイのカスタマイズにおいて利用されなければならない；
請求項１又は請求項２のダイビングコンピュータ。
【請求項４】
前記制御インターフェースが、情報の第１ディスプレイと情報の第２ディスプレイとの間を切り換えるよう構成される；
請求項１乃至請求項３のいずれか一項のダイビングコンピュータ。
【請求項５】
前記ダイビングコンピュータは更に、心拍数およびタンク圧力の内の少なくとも一つを受信するためのインターフェースを備え；
前記心拍数および前記タンク圧力の内の少なくとも一つを用いて、少なくとも一つの潜水の安全性パラメータを評価するためのアルゴリズムを更に備える；
請求項１乃至請求項４のいずれか一項のダイビングコンピュータ。
【請求項６】
前記通信インターフェースが、赤外線リンク、ブルートゥース技術、無線周波数アンテナ、および配線コネクタからなるグループから選択される；
請求項１乃至請求項５のいずれか一項のダイビングコンピュータ。
【請求項７】
前記外部パーソナルコンピュータは、前記スクリーン上の、情報の選択、表示される情報の大きさ、および情報の構成からなるグループから選択される少なくとも一つの技法により、前記情報のディスプレイをカスタマイズするよう前記ダイビングコンピュータと共に構成される；
請求項１乃至請求項６のいずれか一項のダイビングコンピュータ。
【請求項８】
前記デジタルコンピュータおよび／または前記外部パーソナルコンピュータの内の少なくとも一つは、少なくとも一つの予め構成されたディスプレイレイアウトに従って、前記スクリーン上の少なくとも一つの情報項目の選択および大きさのディスプレイを再プログラミング可能にカスタマイズするように構成される；
請求項１乃至請求項７のいずれか一項のダイビングコンピュータ。
【請求項９】
前記スクリーンは、ドットマトリックススクリーンである；
請求項１乃至請求項８のいずれか一項のダイビングコンピュータ。
【請求項１０】
前記デジタルコンピュータは、前記スクリーン上に表示するために前記外部パーソナルコンピュータからデジタル情報をアップロードするように構成される；
請求項１乃至請求項９のいずれか一項のダイビングコンピュータ。
【請求項１１】
防水ハウジングと；
前記ハウジング内部に搭載されるメモリを有するデジタルコンピュータであって、前記デジタルコンピュータまたは前記メモリは、少なくとも一つの潜水安全性パラメータを評価するためのアルゴリズムによりプログラムされる、デジタルコンピュータと；
前記ハウジング外側の圧力測定用に、前記デジタルコンピュータに動作可能に接続される圧力センサと；
前記デジタルコンピュータと外部パーソナルコンピュータとの間のインターフェースと；
ユーザがアクセス可能な少なくとも一つの操作ボタンと；
前記デジタルコンピュータに接続され、前記ユーザに可視のスクリーンとを備え；
前記デジタルコンピュータおよび前記外部パーソナルコンピュータは、前記スクリーン上の少なくとも二つの情報項目の表示用に、情報項目の大きさおよび選択を再プログラミング可能にカスタマイズするように構成される；
ダイビングコンピュータ。
【請求項１２】
前記デジタルコンピュータまたは前記メモリに常駐するインターフェースコンピュータープログラムを更に備え、前記インターフェースコンピュータープログラムは、前記外部プログラミングインターフェースと通信するように構成される；
請求項１１のダイビングコンピュータ。
【請求項１３】
前記デジタルコンピュータは前記スクリーン上に少なくとも一つの警報を有する表示を示すように構成される；
請求項１１又は請求項１２のダイビングコンピュータ。
【請求項１４】
前記デジタルコンピュータは、前記ユーザが前記操作ボタンを第２ディスプレイに切り換えた後、固定時間が経過すると、第１ディスプレイに復帰するようプログラミングされる；
請求項１１乃至請求項１３のいずれか一項のダイビングコンピュータ。
【請求項１５】
前記デジタルコンピュータおよび前記外部パーソナルコンピュータは、前記ユーザが選択すると、前記スクリーン上に表示するために、前記メモリにデジタル情報をアップロードするように構成される；
請求項１１乃至請求項１４のいずれか一項のダイビングコンピュータ。
【請求項１６】
前記スクリーンは、ドットマトリックススクリーンである；
請求項１１乃至請求項１５のいずれか一項のダイビングコンピュータ。
【請求項１７】
ダイビングコンピュータ上に情報を表示する方法であって：
外部パーソナルコンピュータへのインターフェース、ユーザがアクセス可能な制御インターフェース、およびスクリーンを有するダイビングコンピュータを提供するステップと；
前記スクリーン上に表示するために少なくとも一つの情報項目の大きさおよび選択を再プログラミング可能にカスタマイズするステップであって、前記少なくとも一つの情報項目は、少なくとも一つの潜水安全性パラメータを含み、前記外部パーソナルコンピュータと前記外部パーソナルコンピュータへの前記インターフェース、および前記ダイビングコンピュータの内の少なくとも一つを用いて、前記デジタルコンピュータをプログラミングすることによりカスタマイズするステップと；
前記ダイビングコンピュータに前記情報ディスプレイを保存するステップと；
前記スクリーンに前記情報を表示するステップとを備える；
方法。
【請求項１８】
前記スクリーン上に表示するために少なくとも一つの情報項目の大きさおよび選択を再プログラミング可能にカスタマイズするステップは、前記スクリーン上に表示するために前記情報の全ての大きさおよび選択をカスタマイズするステップを備える；
請求項１７の方法。
【請求項１９】
前記情報ディスプレイをカスタマイズすることは、前記デジタルコンピュータに常駐するインターフェースプログラムを用いて、前記外部パーソナルコンピュータとインターフェースすることにより達成される；
請求項１７又は請求項１８の方法。
【請求項２０】
前記デジタルコンピュータを再プログラミングすることにより、前記制御インターフェースを用いて前記情報ディスプレイを変更するステップを更に備える；
請求項１７乃至請求項１９のいずれか一項の方法。
【請求項２１】
前記情報の予めプログラムしたレイアウトを選択するステップを更に含む；
請求項１７乃至請求項２０のいずれか一項の方法。
【請求項２２】
前記ユーザが選択すると前記スクリーン上に表示するために前記ダイビングコンピュータにデジタル情報をアップロードするステップを更に備える；
請求項１７乃至請求項２１のいずれか一項の方法。
【請求項２３】
前記スクリーン上に表示される前記デジタル情報を、イベントが発生した時に前記アップロードされたデジタル情報で置き換えるステップを更に備える；
請求項２２の方法。
【請求項２４】
前記スクリーン上に表示される前記デジタル情報を、イベントが発生した時に前記アップロードされたデジタル情報で置き換えるステップは、前記スクリーン上に表示される前記デジタル情報を、所定の時間経過が満了した時に前記アップロードされたデジタル情報で置き換えるステップを備える；
請求項２３の方法。
【請求項２５】
前記スクリーン上に表示される前記デジタル情報を、イベントが発生した時に前記アップロードされたデジタル情報で置き換えるステップは、前記スクリーン上に表示される前記デジタル情報を、前記ダイビングコンピュータによる警報の生成時に前記アップロードされたデジタル情報で置き換えるステップを備える；
請求項２３の方法。
【請求項２６】
前記ユーザが選択すると前記スクリーン上に表示するために前記ダイビングコンピュータにデジタル情報をアップロードするステップは、前記ユーザが選択すると、前記スクリーン上に表示するために、画像、魚図鑑のライブラリ、字句、ポッドキャスト、ビデオゲーム、またはパズルの内の少なくとも一つを前記ダイビングコンピュータにアップロードするステップを備える；
請求項２２乃至請求項２５のいずれか一項の方法。